(57)【要約】  特に衣料品等の繊維製品（１）であり、前記繊維製品（１）内に閉鎖可能な洗濯袋（２）を内蔵し、その洗濯袋を５μｍないし２００μｍの範囲の平均メッシュ幅を有する熱硬化性合成樹脂網組織から形成し、さらにその洗濯袋が衣料品（１）を完全に収容するために適した寸法であるとともに、閉鎖された洗濯袋（２）内に繊維製品を収容しての洗濯工程の間に場合によって存在し得る繊維製品（１）から洗い落とされた合成樹脂繊維のための捕集手段として機能する。【選択図】図１
2020526683.tif 000002
【特許請求の範囲】
【請求項１】
合成樹脂繊維を含んだ特に衣料品等の繊維製品（１）であり、
前記繊維製品（１）内に閉鎖可能な洗濯袋（２）を内蔵し、その洗濯袋を５μｍないし２００μｍの範囲の平均メッシュ幅を有する熱硬化性合成樹脂網組織から形成し、さらにその洗濯袋が衣料品（１）を完全に収容するために適した寸法であるとともに、閉鎖された洗濯袋（２）内に繊維製品を収容しての洗濯工程の間に場合によって存在し得る繊維製品（１）から洗い落とされた合成樹脂繊維のための捕集手段として機能することを特徴とする繊維製品。
【請求項２】
洗濯袋（２）を繊維製品（１）内あるいは上に、特に縫い付けによって恒久的に固定することを特徴とする請求項１記載の繊維製品。
【請求項３】
繊維製品（１）を適正な方式で使用した場合に目視不可能になるような繊維製品（１）の目立たない箇所に洗濯袋（２）を配置することを特徴とする請求項１または２記載の繊維製品。
【請求項４】
繊維製品（１）を衣料品とし、洗濯袋（２）を衣料品の内面上、内張りの中あるいは上、または衣料品の襟（５）の領域内に配置することを特徴とする請求項１または２記載の繊維製品。
【請求項５】
洗濯袋（２）が衣料品の内側あるいは外側を指向するジッパ（３）を備え、ジッパが開放されている際にそのジッパを介して洗濯袋（２）の内部空間に衣料品を裏返して収容し得るようにし、また衣料品が収容された洗濯袋（２）をジッパによって閉鎖し得るようにすることを特徴とする請求項４記載の繊維製品。
【請求項６】
平均メッシュ幅を５μｍないし１００μｍ、特に約５０ないし８０μｍの範囲とすることを特徴とする請求項１記載の繊維製品。
【請求項７】
合成樹脂網組織を熱硬化性ポリアミド、特にポリアミド６．６とすることを特徴とする請求項１記載の繊維製品。
【請求項８】
網組織を単一繊維の組織とすることを特徴とする請求書１ないし７のいずれかに記載の繊維製品。
【請求項９】
合成樹脂繊維を遮断する閉鎖具、特にジッパによって洗濯袋を閉鎖可能にすることを特徴とする請求１ないし８のいずれかに記載の繊維製品。
【発明の詳細な説明】
【技術分野】
【０００１】
この発明は、化学繊維を含んだ繊維製品、特に化学繊維を含んだ衣服に関する。
【背景技術】
【０００２】
今日販売されている繊維製品および衣料品の多く、特にアウトドア衣類またはその他の合成繊維から製造された機能性衣類は無視できない割合で合成樹脂繊維から形成される。そのような繊維製品は、洗濯に際して合成樹脂繊維あるいは合成樹脂繊維片が洗い落とされるかあるいは脱落しそれが排水と共に環境中に流出するという難点を有する。洗い落とされる合成樹脂繊維が通常極めて小さくかつ短い繊維あるいは繊維片に係るため従来の洗濯機の排水フィルタではその繊維を充分に捕集できない。下水処理場では排水中に含まれる合成樹脂繊維の一定割合を捕集することができるものの、同時に比較的大きな割合でその種の繊維を通過させ、それが無視できないレベルで河川および海洋汚染を増進させ、そこで動物による捕食によって最終的に食物連鎖中に取り込まれる。
【０００３】
勿論、洗濯機、下水処理場等が適宜なマイクロプラスチックフィルタを備えることが理想的であるが、そのことは未だ包括的には達成不可能である。
【０００４】
この点に関して、未公開の特許文献１により、特殊に形成され衣料品を収容する洗濯袋を使用して合成樹脂繊維を含んだ衣料品を洗濯機内で洗濯することが知られており、その際前記洗濯袋が洗濯工程中に衣料品から洗い落とされた合成樹脂繊維の捕集手段として機能する。洗濯工程中に洗濯袋内に集積された合成樹脂繊維は洗濯工程の終了後に洗濯袋から取り出して適正に廃棄することができ、それによって合成樹脂繊維による排水汚染の削減に寄与する。しかしながらこの環境に優しい効果は、環境保護の理由から同種の洗濯袋の購入を決定した家計によってのみ達成されるものである。
【０００５】
さらに、例えば特許文献２、特許文献３、ならびに特許文献４に記載の先行技術から、脆弱な繊維製品を機械洗濯するための洗濯袋が既に知られている。その種の洗濯袋は、洗濯工程中にその袋の中に収容された衣料品、例えばブラジャーのための保護、あるいは同じ洗濯工程中に同時に洗濯されるその他の繊維製品の、例えば洗濯工程中に洗濯袋の中に収容された衣料品上に存在し得るホックに対する保護として機能する。この洗濯袋に環境保護の観点の役割は存在しない。
【先行技術文献】
【特許文献】
【０００６】
【特許文献１】ドイツ国特許出願第１０２０１６１００４９３号明細書
【特許文献２】ドイツ国実用新案第８４０４７４６号（Ｕ１）明細書
【特許文献３】ドイツ国実用新案第２０１０４６３６号（Ｕ１）明細書
【特許文献４】米国特許第４，６３０，３１２号明細書
【発明の概要】
【発明が解決しようとする課題】
【０００７】
上述した先行技術の観点から本発明の目的は、合成樹脂繊維を含んだ繊維製品あるいは衣料品の洗濯に際して合成樹脂繊維による排水汚染を使用者にとって極めて簡便かつ容易な方式で顕著に削減することができるように改善することである。
【課題を解決するための手段】
【０００８】
前記の課題は、請求項１に係る合成樹脂繊維を含んだ繊維製品によって解決される。さらに本発明の好適な追加構成が、従属請求項ならびに発明の詳細な説明によって明らかにされる。
【０００９】
本発明に係る繊維製品は、好適に衣料品とすることができるが、その繊維製品内に閉鎖可能な洗濯袋を内蔵し、その洗濯袋を５μｍないし２００μｍの範囲の平均メッシュ幅を有する熱硬化性合成樹脂網組織から形成し、さらにその洗濯袋が衣料品を完全に収容するために適した寸法であるとともに、閉鎖された洗濯袋内に繊維製品を収容しての洗濯工程の間に場合によって存在し得る繊維製品から洗い落とされた合成樹脂繊維のための捕集手段として機能することを特徴とする。
【００１０】
本発明に従って設けられる洗濯袋は繊維製品に内蔵されるため、該当する繊維製品の全ての洗濯工程に際して洗濯袋が好適に利用可能になる。すなわち、洗濯する繊維製品を単にその繊維製品に内蔵された洗濯袋内に収容して洗濯袋を閉鎖すればよく、その後洗濯機内において前記洗濯袋とその中に収容された繊維製品に対して環境に配慮した洗濯工程を実行することができる。さらに、洗濯袋をそれの寸法、特に容積に関して、その洗濯袋を使用して洗濯する繊維製品に適合させ、従って洗濯袋が常に当該繊維製品を収容するために必要な（最小の）大きさのみを有すれば良いことが好適である。しかしながら、洗濯袋を（多少）大きめに選定し、それによって洗濯工程の間に場合によって合成樹脂繊維を含む別の繊維製品／衣料品を追加的に収容し得るようにすることも好適である。
【００１１】
加えて、５μｍないし２００μｍの範囲の平均メッシュ幅を有する熱硬化性合成樹脂網組織から洗濯袋を形成することが極めて好適である。実験によって、その種の洗濯袋を使用すれば一方で略１００％の捕集率に達する繊維製品から洗い落とされた合成樹脂繊維の確実な捕集効果が達成可能であり、他方で良好な洗濯結果も達成可能であることが示された。少なくとも９０％あるいは少なくとも９５％の捕集率が達成されることが好適である。本発明に係る熱硬化性合成樹脂網組織の適用によって、通常環境中に流出していた繊維製品の合成樹脂繊維を効果的に捕集するための所要の（平均）メッシュ幅に正確に調節することが可能になる。
【００１２】
その際本発明の枠内において、合成樹脂網組織の平均メッシュ幅を繊維製品に使用される特定の合成樹脂繊維に適合させることができ、従って合成樹脂網組織のメッシュ幅を例えば該当する繊維製品内に使用される合成樹脂繊維の種類および太さに応じて選択できることも好適である。従って、例えば極めて微細な合成樹脂繊維を含んだ繊維製品に対して小さなメッシュ幅を有する洗濯袋を使用し、より太い繊維を含んだ繊維製品に対してはより大きなメッシュ幅を有する洗濯袋を使用することができる。
【００１３】
前述したように洗濯袋が繊維製品に内蔵され、そのため洗濯袋を繊維製品内あるいは上に適宜な方式、特に縫い付けによって恒久的に固定可能にすることが極めて好適であるが、洗濯袋を必要に応じて（例えば分離して別の衣料品の洗濯に使用するために）繊維製品から取り外し可能にする必要がある場合は適宜な固定手段（ジッパ、スナップボタン等）を使用した解除可能な固定も可能である。
【００１４】
洗濯機内における洗濯工程中に不規則に変動して外側および内側から水圧が洗濯袋に作用することが本発明の効率性に寄与する。熱硬化性合成樹脂網組織の極めて平滑な表面のため袋内面に付着した繊維片が流入出する水によって洗い取られ、それによってフィルタケーキの形成が防止される。その結果よどみ圧が削減され、フィルタとして機能する袋材料が清潔に保持されて高いフィルタ能力が保証される。
【００１５】
本発明の好適な構成形態によれば、繊維製品あるいは衣料品を適正な方式で使用した場合に目視不可能になって他人に認識されないような方式で、繊維製品あるいは衣料品の目立たない箇所に洗濯袋が配置される。
【００１６】
そのため、衣料品の場合洗濯袋を衣料品の内面上、内張りの中あるいは上、または衣料品の襟の領域内に配置することが好適である。
【００１７】
本発明の枠内においてさらに、洗濯袋が衣料品の内側あるいは外側を指向するジッパを備え、ジッパが開放されている際にそのジッパを介して洗濯袋の内部空間に衣料品を裏返して収容し得るようにし、また衣料品が収容された洗濯袋をジッパによって閉鎖し得るようにすることが好適である。それによって本発明に係る洗濯袋の取り扱いが実用的なものとなることが明らかである。加えて、適宜に衣料品を形成することによって必要に応じて衣料品の使用中／運搬中にジッパによって閉鎖可能な一種のバッグとして洗濯袋を使用することもできる。
【００１８】
本発明の好適な構成形態によれば、洗濯袋に使用する組織の平均メッシュ幅が５μｍないし１００μｍ、特に約５０ないし８０μｍの範囲とされ、それによって目的とされるフィルタ作用の効率性が良好な洗濯能力を同時に確保しながら最適化される。
【００１９】
本発明において使用される合成樹脂網組織は、熱硬化性ポリアミド、特にポリアミド６．６（ＰＡ６．６）とすることが好適である。それによれば特に１００℃（ウェット）の持続耐熱性が達成され、本発明の用途において最適なものとなる。勿論、本発明の枠内において、（特に機械による）洗濯工程に際して一般的な周囲条件において充分に安定的なものであれば、別の材料を使用することもできる。
【００２０】
さらに、単一繊維の組織を使用することも有効であり、その組織は他方で単層として使用することができる。約８０μｍの組織厚、横糸と縦糸のメッシュ幅がそれぞれ５０μｍ±１０％の許容誤差、さらに網開口面積が２７％であるＰＡ６．６製の単層かつ単一繊維の網組織の使用が本発明に極めて適したものとして判明した。
【００２１】
前述したように、洗濯袋が適宜な方式で閉鎖可能であり、従って洗濯袋の閉鎖具も勿論捕集機能を補助すべきものであり、従って前述した１００μｍ程度（あるいはそれ未満）の長さを有する合成樹脂繊維に対して少なくとも殆ど非透過性である。
【００２２】
さらに、同様に合成樹脂繊維を遮断する閉鎖具によって、特に適宜に微細な（好適には実質的に耐水性の）および／または必要に応じて洗濯袋の層によって遮閉されたジッパによって洗濯袋を閉鎖可能であることが好適である。
【００２３】
しかしながら、好適な閉鎖手段として、洗濯する繊維製品を収容した後に洗濯袋を開口部の領域で巻き込み、その後特に適宜な閉鎖要素を使用して（例えば洗濯袋の補強部上に設けたスナップボタンあるいはジッパを使用して）巻き込まれた状態で固定することによって、洗濯袋の縁部側に設けた開口部を閉鎖することもできる。それによって、開口部の領域で巻き込まれた洗濯袋が一種のラビリンスシールの方式で捕集された合成樹脂繊維が洗濯袋から流出することを防止することができる。
【００２４】
次に、本発明について添付図面を参照しながら以下に詳細に説明する。
【図面の簡単な説明】
【００２５】
【図１】繊維製品内あるいは上に異なった方式で内蔵された洗濯袋を備えた本発明に係る繊維製品の実施例を示した説明図である。
【図２】繊維製品内あるいは上に異なった方式で内蔵された洗濯袋を備えた本発明に係る繊維製品の別の実施例を示した説明図である。
【図３】繊維製品内あるいは上に異なった方式で内蔵された洗濯袋を備えた本発明に係る繊維製品のさらに別の実施例を示した説明図である。
【発明を実施するための形態】
【００２６】
図１には、上側の２つの部分図のように合成樹脂繊維を含んだ衣料品、具体的にはフリースセーターの形式の繊維製品１とそれに内蔵された洗濯袋２の前面が示され、フリースセーターの前外側に設置され胸部領域の高さで横方向に延在するジッパ３を使用して前記洗濯袋２が閉鎖可能である。
【００２７】
左側の部分図には、この部分図において目視不可能なフリースセーターの内側に洗濯袋２が隠して配置されることが点線で示されている。ジッパ３が開放されている場合、右上の部分図に示されるように、ジッパ開口を介して洗濯袋２を引き出して裏返すことができる。
【００２８】
洗濯袋２はそれの外側縁部、ならびに恒久的に縫い付け固定されているジッパ３の領域に周囲補強部４を備えていて、それ以外の部分は上述したように５μｍないし２００μｍの範囲、好適には５μｍないし１００μｍの範囲の平均メッシュ幅を有するポリアミド（ＰＡ６．６）からなる熱硬化性合成樹脂網組織によって形成される。ジッパ３も約１００μｍの大きさ領域の合成樹脂繊維を捕集するために適する。
【００２９】
図１の右上に示された形態から開始して、図１の左下に示されるような方式で、最終的に完全に洗濯袋内に収容されるまでフリースセーターを洗濯袋内に挿入することができる（図１右下の部分図参照）。ジッパ３を閉じた後（袋以外の部分の）繊維製品１を収容した洗濯袋２を洗濯機内に投入して環境に配慮しながら洗濯することができる。洗濯工程中に繊維製品１から洗い落とされた合成樹脂繊維あるいは合成樹脂繊維片は繊維の捕集手段として機能する洗濯袋２内に滞留し、洗濯工程終了後に洗濯袋２から取り出して排水を汚染することなく適正に廃棄することができる。
【００３０】
図２によれば、上側の２つの部分図にジャケット１の形式の本発明に係る繊維製品１の第２の実施例が前面図および背面図として示されており、それにおいてジャケット背面の裏側に本発明に係る方式によって洗濯工程中にジャケットを完全に収容可能でかつ合成樹脂繊維の捕集手段として機能する洗濯袋２が上述したように縫い付けられるかまたは必要に応じて取り外し可能に固定され、それが図２の右上の背面図に点線で示されている。
【００３１】
図２の下側の２つの部分図には、図１の実施例と同様に、環境に配慮して洗濯するために、洗濯袋２上に設けられたジッパ３を開放して洗濯袋２内にジャケットを完全に収容し得ることが示されている。
【００３２】
さらに図３には、上側の２つの部分図に（合成樹脂繊維を含んだ）ジャケットの形式の本発明に係る繊維製品１の第３の実施例が前面図および背面図として内蔵された洗濯袋２と共に示されており、その際洗濯袋２を例えばフードに関して知られている方式によって襟５の領域に設けられたジッパ３に巻き込んで収容することができる。ここでも（図１の実施例と同様に）ジッパ３を開放した後洗濯袋２を襟５から裏返して引き出し、その後図３の下側の部分図に示された矢印Ｐに従ってジッパ開口６を介してジャケットを洗濯袋２内に畳み入れることができる。
【図１】
2020526683.tif 000003
【図２】
2020526683.tif 000004
【図３】
2020526683.tif 000005
【国際調査報告】
2020526683.tif 000006
2020526683.tif 000007
2020526683.tif 000008
2020526683.tif 000009
2020526683.tif 000010
2020526683.tif 000011